(57)【特許請求の範囲】
【請求項１】
建屋側壁の有効幅の半分に近い幅を有する開口部に４枚以上の防熱扉をそれぞれ開口幅方向へのスライドにより開閉自在に設置してなる建屋の防熱扉構造であって、
上記４枚以上の防熱扉は、それらのスライド方向の一端側に設定された閉扉位置で各別に開口部前方へ引出し移動させた状態と開口部後方へ押込み移動させた状態とに、固定された乗移り用レールを通して切替操作可能に構成されているとともに、
上記閉扉位置で開口部後方へ押込み移動させた状態では、上記４枚以上の防熱扉が互いに直線上に並列配置され、かつ、上記閉扉位置で開口部前方へ引出し移動させた状態では、他の防熱扉の前面の少なくとも一部を含みかつ固定された前面側レールを通して開扉位置に各別にスライド可能に構成されており、
上記前面側レールは開口部の全幅に亘って開口幅方向に形成されており、上記乗移り用レールは上記前面側レールと直交するように開口部前後方向に形成されており、
上記４枚以上の防熱扉のうち隣接した任意の２枚の防熱扉を同時に開扉位置に置くことができることを特徴とする建屋の防熱扉構造。
【請求項２】
上記４枚以上の防熱扉の隣接間には、防熱扉を閉扉位置で開口部後方へ押込み移動させた状態において、その移動させた防熱扉のスライド方向端部の扉枠に突き合わせ状に当接して両者間のシール性を確保する周辺枠を持った揺動開閉扉または固定壁が少なくとも一つ設けられている請求項１に記載の建屋の防熱扉構造。
【請求項３】
前記防熱扉は、前記閉扉位置で開口部後方へ押込み移動させた状態で、端部枠同士を突き合わせ状態に当接させてシール性を確保するようにロック可能に構成されている請求項２に記載の建屋の防熱扉構造。
【請求項４】
上記各防熱扉は、開口部の上端位置に形成されたレールに吊り支持されてスライド及び開口部前後に移動可能に構成されている請求項１ないし３のいずれかに記載の建屋の防熱扉構造。
【請求項５】
前記前面側レールが床面に固定された前面側床面側レールを含み、上記各防熱扉の下端部には、床面に固定された前記前面側床面側レールに接触して扉重量をレールで支える無方向性の自由回転式転がり部材が取り付けられている一方、各防熱扉の上端部には、開口部の上端位置に形成された溝形ガイド内に嵌合する扉振止め部材が取り付けられている請求項１ないし３のいずれかに記載の建屋の防熱扉構造。
【請求項６】
上記転がり部材は、硬球の上半部分と該上半部分を包み込むケースの半球状内面との間に複数個の小球を挟在させて硬球を無方向性に自由回転可能にケースに保持させた構成のものである請求項５に記載の建屋の防熱扉構造。
【請求項７】
対象とする建屋が、作物栽培舎である請求項１ないし６のいずれかに記載の建屋の防熱扉構造。
【発明の詳細な説明】
【０００１】
【発明の属する技術分野】
本発明は、例えばきのこ栽培等のように、空調設備の常時作動により屋内温度を栽培に適した一定温度に制御し管理することが行われている作物栽培舎等の建屋側壁に形成された開口部に防熱扉を開閉自在に設置してなる建屋の防熱扉構造に関するものである。
【０００２】
【従来の技術】
この種の栽培舎等の建屋においては、屋内のほぼ全域で栽培した作物の取り出しにベルトコンベアのような自動搬送装置を採用している場合が多い。この自動搬送装置による取り出し搬送効率を高めるためには、できるだけ作物の栽培箇所に近い箇所から取り出せるように搬送装置を開口幅方向に適当な間隔を置いて並列的に設置することが望まれる。また、作物の取り出し時には上述のような適温に温度制御されている屋内からの熱放散ロスを抑制したいことから、単位の開口幅を可及的に小さくすることが望まれる。
【０００３】
このような要望を達成するためには、建屋側壁に、その側壁有効幅の半分以上あるいは半分以下であっても半分に近い幅を有する開口部を形成し、この大きな幅の開口部を小さい単位開口幅に分割できるように複数枚の防熱扉を開閉自在に設置した構造が要求される。
【０００４】
この要求を満たす建屋の防熱扉構造として考えられるのは、複数枚の防熱扉それぞれを幅方向の一端部側に形成された支点周りで揺動開閉自在に構成した開き戸形式にするか、もしくは、複数枚の防熱扉を開口幅方向へのスライドにより開閉自在に構成した引き戸形式にするか、のいずれかである。
【０００５】
【発明が解決しようとする課題】
しかしながら、前者の開き戸形式の場合は、開口部の前面側（屋外側）に扉が揺動開閉するに足りる大きなスペースを必要とし、前面側に障害物が存在する条件下では施工不能である。また、後者の引き戸形式の場合は、開口部の前面側に大きなスペースを必要としない反面、開いた扉を収納する戸袋スペースを確保することが必要となる。該戸袋スペースを防熱扉に対してその開口幅方向に隣接して確保するとなると、防熱扉間に一つの防熱扉の横幅よりも若干幅の大きい固定（非開口）の戸袋スペースの設置が必要であるため、防熱扉を側壁に連続して並置することができず、その結果、防熱扉によって開閉される単位開口間の距離が大きくなり、既述のような自動搬送装置を並列設置する上で非常に不利である。また、戸袋スペースを開口部の上方に確保して防熱扉を連続並置するとなると、戸袋スペースの確保のために建屋が必要以上に高くなるとか、あるいは、開口部自体の高さが制限されるとかいった別の問題が発生する。
【０００６】
そこで、引き戸形式で戸袋スペースの確保に伴う上述のような問題点をなくするために、隣接する防熱扉のスライド経路同士を開口部の前後にずらせた引き違い式にすることが考えられる。しかし、この引き違い式の場合は、隣接する防熱扉の前後間に隙間が発生しやすく、完全閉扉状態でもシール性が低下することは避けられず、これによって、多くの熱放散ロスを招くという問題がある。
【０００７】
本発明は上記実情に鑑みてなされたもので、全体の省スペース化を図りながら４枚以上の防熱扉を開口幅方向に連続並置することができ、しかも、閉扉状態でのシール性を高く保持して熱放散ロスの著しい軽減を図ることができる建屋の防熱扉構造を提供することを目的としている。
【０００８】
【課題を解決するための手段】
上記目的を達成するために、本発明に係る建屋の防熱扉構造は、建屋側壁の有効幅の半分に近い幅を有する開口部に４枚以上の防熱扉をそれぞれ開口幅方向へのスライドにより開閉自在に設置してなる建屋の防熱扉構造であって、
上記４枚以上の防熱扉は、それらのスライド方向の一端側に設定された閉扉位置で各別に開口部前方へ引出し移動させた状態と開口部後方へ押込み移動させた状態とに、固定された乗移り用レールを通して切替操作可能に構成されているとともに、上記閉扉位置で開口部後方へ押込み移動させた状態では、上記４枚以上の防熱扉が互いに直線上に並列配置され、かつ、上記閉扉位置で開口部前方へ引出し移動させた状態では、他の防熱扉の前面の少なくとも一部を含みかつ固定された前面側レールを通して開扉位置に各別にスライド可能に構成されており、
上記前面側レールは開口部の全幅に亘って開口幅方向に形成されており、上記乗移り用レールは上記前面側レールと直交するように開口部前後方向に形成されており、
上記４枚以上の防熱扉のうち隣接した任意の２枚の防熱扉を同時に開扉位置に置くことができることを特徴とするものである。
【０００９】
上記構成の本発明によれば、基本的には引き戸形式のものであって、開き戸形式の場合に必要な開口部前面側に扉の揺動開閉のためのスペースが要らず、前面側に他の建物等の障害物が存在する条件下でも施工可能である。また、各防熱扉をそれの閉扉位置で一旦開口部前方へ引出し移動させた状態で開口幅方向にスライドさせることにより、他の防熱扉の前面スペースの少なくとも一部を利用して開扉させることが可能であるから、一般的な引き戸形式のものが必要とする戸袋スペースを横方向や上部に別個に確保する必要がなくなり、建屋が必要以上に高くなったり、開口部の高さが制限されるといった問題を発生することなく、４枚以上の防熱扉を側壁開口部に連続して並置することが可能となる。その結果、４枚以上の防熱扉個々によって開閉される単位開口間の距離も小さくすることが可能であり、作物栽培舎などに自動搬送装置を設置する場合に有利である。加えて、閉扉状態では４枚以上の防熱扉を互いに直線上に並列配置させて端部枠同士を突き合わせ状態に当接させる構成とすることが可能であるため、引き違い式の場合に比べてシール性が高くなり、かつ、その高いシール性を長期に亘り安定よく維持して温度制御が行われている屋内からの熱放散ロスを著しく軽減することが可能である。
【００１０】
上記構成の本発明に係る建屋の防熱扉構造は、開口部が建物側壁の有効幅の半分以上の幅に形成すると、開口幅方向に戸袋スペースを確保することができない場合に特に有効である。
【００１１】
また、上記した本発明に係る建屋の防熱扉構造においては、閉扉状態で隣接する防熱扉のスライド方向端部の扉枠同士が直接に突き合わせ状に当接するようにしてもよいが、請求項２に記載のように、４枚以上の防熱扉の隣接間に、防熱扉を閉扉位置で開口部後方へ押込み移動させた状態で、その移動させた防熱扉のスライド方向端部の扉枠に突き合わせ状に当接して両者間のシール性を確保する周辺枠を持った揺動開閉扉または固定壁の少なくとも一つを設けてもよい。また、請求項３に記載のように、前記防熱扉は、前記閉扉位置で開口部後方へ押込み移動させた状態で、端部枠同士を突き合わせ状態に当接させてシール性を確保するようにロック可能に構成してもよい。
【００１２】
また、上記した本発明に係る建屋の防熱扉構造において、各防熱扉は、請求項４に記載のように、開口部の上端位置に形成されたレールに吊り支持されてスライド及び開口部前後に移動可能に構成された吊りレール形式、あるいは、請求項５に記載のように、前記前面側レールが床面に固定された前面側床面側レールを含み、各防熱扉の下端部に、床面に固定された前記前面側床面側レールに接触して扉重量をレールで支える無方向性の自由回転式転がり部材が取り付けられている一方、各防熱扉の上端部に、開口部の上端位置に形成された溝形ガイド内に嵌合する扉振止め部材が取り付けられている床レール形式のいずれであってもよいが、背丈の大きい防熱扉を対象とする場合は、床レール形式を採用することが好ましい。それは、床レール形式の場合は吊りレール形式の場合のように操作にこつを要さず、それゆえに無理な操作が行われないために、レールや吊り具等の可動部品を変形破損することがなく、耐久性の面で有利であるからである。
【００１３】
すなわち、吊りレール形式の場合は、背丈の大きい防熱扉を移動させる際、こじれが働いて移動操作に困難を伴うことから、特殊な操作こつを要し、また、その困難に打ち勝つように無理に操作することからレールや吊り具が破損や変形しやすく、そうなると、ますます移動操作が困難に陥るという可能性がある。これに対して、床レール形式の場合は、扉重量を床面のレールでしっかりと支えて、こじれの発生をなくすることができるので、操作性を改善できるとともに、レール等の破損や変形も非常に少なくなり、長期間に亘り軽快かつ円滑な開閉操作が可能となる。
【００１４】
さらに、床レール形式のものにおける転がり部材として、請求項６に記載のように、硬球の上半部分と該上半部分を包み込むケースの半球状内面との間に複数個の小球を挟在させて硬球を無方向性に自由回転可能にケースに保持させた構成のものを用いることによって、防熱扉の開口部前後方向への移動及び開口幅方向へのスライド移動といった互いに直交する方向の動きを無理なく円滑に行わせることができる。
【００１５】
【発明の実施の形態】
以下、本発明の実施例を図面にもとづいて説明する。
図１は本発明に係る建屋の防熱扉構造の概略平面図、図２は要部の正面図、図３はその平面図であり、作物栽培舎等の建屋側壁１に、該側壁１の有効幅Ｌの半分（Ｌ／２）以上の幅Ｌ１を有する開口部２が形成されている。この開口部２には、４枚以上（図面上では４枚で示すが、４枚以上であればよい）の防熱扉３…がそれぞれ開口部２の開口幅方向Ｘへのスライドにより開閉自在に設置されているとともに、開口幅両端の防熱扉３，３とこれに隣接する防熱扉３，３との間で、その下半部には、人が建屋内に出入りするのに足りる幅と高さを持つ揺動開閉扉４，４が設置され、かつ、上半部には、揺動開閉扉４，４の幅と等しい幅と開口部２の上端に達する高さを持つ固定壁板５，５が設置されている。
【００１６】
上記各防熱扉３…は、その上端部において、図４に明示するように、開口部２の上端位置に固定して開口部２の全幅に亘って形成された天井レール６に吊り具７を介して吊り支持されているとともに、その下端部において、図５に明示するように、床面８に固定して開口部２の全幅に亘って形成された床レール９に嵌合するローラ１０を介して振止め案内されるように構成されている。
【００１７】
また、各防熱扉３…は、それらのスライド方向Ｘの一端側に設定された閉扉位置において吊り支持状態のままで各別に開口部２の前後方向Ｙに移動可能に構成されている。すなわち、閉扉位置（Ａ）で図１、図３の仮想線及び図４、図５の実線に示すように、開口部２の前方へ引出し移動させた状態と、図１、図３の実線及び図４、図５の仮想線に示すように、開口部２の後方へ押込み移動させた状態とに切替操作可能に構成されている。
【００１８】
そして、閉扉位置（Ａ）で開口部２の後方へ押込み移動させた状態では、４枚の防熱扉３…が揺動開閉扉４，４及び固定壁板５，５を含めて互いに直線上に並列配置され、かつ、この後方への押込み移動状態において、図４及び図５に示すように、各防熱扉３…の上端部及び下端部の前面に出退自在に取り付けられたキー部材１１，１２…を開口部２の上端部及び床面８に固定の凹部材１３，１４…内に嵌合させることで閉扉位置（Ａ）にロック可能に構成されている。
【００１９】
また、上記閉扉位置（Ａ）で開口部２の前方へ引出し移動させた状態では、揺動開閉扉４，４、固定壁板５，５の前面及び隣接する防熱扉３…の前面を含む経路を通して開扉位置（Ｂ）にスライド可能に構成されている。つまり、開口部２の上端位置及び下端位置で上記天井レール６及び床レール９の前面側には、これらレール６，９と平行状態で各防熱扉３…を閉扉位置（Ａ）と開扉位置（Ｂ）の間に亘って、吊り具７を係合させて防熱扉３…を吊り支持状態でスライド案内する天井レール１５及びローラ１０を嵌合させて振止め案内する床レール１６が開口部２の全幅に亘って固定されているとともに、各防熱扉３…の閉扉位置（Ａ）に対応する上下各二本の天井レール６と１５の間及び床レール９と１６の間には、各防熱扉３…の吊り具７及びローラ１０を開口部２の前後方向Ｙに移動案内させて防熱扉３…を天井レール６と１５間及び床レール９と１６間に亘り乗移り可能とする乗移り用短尺天井レール１７…及び短尺床レール１８…が架設固定されている。
【００２０】
また、上記揺動開閉扉４，４及び固定壁板５，５の周辺には、各防熱扉３…を閉扉位置（Ａ）で開口部２の後方へ押込み移動させた状態で、各防熱扉３…の周辺扉枠３ａ…のうち、スライド方向Ｘ端部の扉枠３ａ１…に突き合わせ状に当接して両者間のシール性を確保する周辺枠４ａ，４ａ及び５ａ，５ａが固定されている。
【００２１】
上記のごとく構成された作物栽培舎等の建屋の防熱扉構造においては、４枚の防熱扉３…のうち、自動搬送装置などによる栽培作物の自動搬出が必要な箇所の防熱扉３をそれの閉扉位置（Ａ）で乗移り用短尺レール１７，１８を介して一旦開口部２の前方へ引出し移動させて吊り具７を前面側の天井レール１５に、かつ、ローラ１０を前面側の床レール１６に乗り移らせた状態で、その前面側レール１５，１６に沿って開口幅方向Ｘに開扉位置（Ｂ）までスライドさせることにより、揺動開閉扉４及び固定壁板５並びに隣接する防熱扉３…の前面の一部を利用して開扉させることが可能である。この開扉状態で開放される単位開口は幅の小さいものであり、栽培作物の自動搬出等を建屋内からの熱放散を最少限に抑えつつ行うことができる。
【００２２】
また、開放した防熱扉３を閉塞する時は、該防熱扉３を上記前面側天井レール１５及び床レール１６に沿って閉扉位置（Ａ）までスライドさせ、その閉扉位置（Ａ）で乗移り用短尺レール１７，１８を介して開口部２の後方へ押込み移動させて吊り具７を前面側の天井レール１５から後面側の天井レール６に、かつ、ローラ１０を前面側の床レール１６から後面側の床レール９に乗り移らせることにより、該防熱扉３のスライド方向Ｘ端部の扉枠３ａ１を揺動開閉扉４の周辺枠４ａ及び固定壁板５の周辺枠５ａに突き合わせ状に当接させて両者間のシール性を確保し、作物栽培等に適した温度制御が行われている建屋内からの熱放散ロスを軽減することが可能である。
【００２３】
上記実施の形態では、各防熱扉３…を吊り具７を介して天井レール６，１５に吊り支持させ、かつ、ローラ１０を介して床レール９，１６に振止め案内させる吊りレール形式のものについて説明したが、以下に説明するような床レール形式に構成してもよい。
【００２４】
すなわち、図６に示すように、防熱扉３の下端部には、ブラケット２０を介して転がり部材２１が取り付けられ、この転がり部材２１を床面８に固定形成されたスライド経路用床レール９，１６及び１８に接触させて扉重量を各床レール９，１６，１８で支えるように構成されているとともに、防熱扉３の上端部には、扉振止め部材２２が取り付けられ、この扉振止め部材２２を開口部２の上端位置に固定された溝形ガイド６’，１５’及び１７’内に嵌合させて振止め案内するように構成されている。なお、床レール９，１６，１８及び溝形ガイド６’，１５’、１７’の配置構造は上記実施の形態と同様である。
【００２５】
上記転がり部材２１としては、図７に明示するように、鋼球等の硬球２１ａの上半部分と該上半部分を包み込むケース２１ｂの半球状内面２１ｃとの間に複数個の小球２１ｄを挟在させて硬球２１ａを無方向性に自由回転可能にケース２１ｂに保持させた構成のものを用いる。
【００２６】
このような床レール形式の場合は、背丈の大きい防熱扉３を対象とするとき、その扉重量が床レール９，１６，１８でしっかりと支えられているので、開閉操作時にこじれが発生せず、吊りレール形式に比べて操作性の改善が図れるとともに、無理な操作を避けることが可能であるから、床レール９，１６，１８や転がり部材２１等の可動部品等の破損や変形も非常に少なくなり、長期間に亘り軽快かつ円滑な開閉操作が可能となる。特に、図７に示すような構成の転がり部材２１を使用することにより、防熱扉３の開口部２前後方向への移動及び開口幅方向へのスライド移動といった互いに直交する方向の動きを無理なく円滑に行わせることができる。
【００２７】
なお、上記各実施の形態で示したような構造は、特に、作物栽培舎における防熱扉構造として有効であるが、それ以外にも大型冷凍庫等のように、内部を空調設備を介して温度制御することが望まれる各種の建屋の防熱扉構造として適用可能である。
【００２８】
【発明の効果】
以上のように、本発明によれば、基本的に引き戸形式で、開き戸形式の場合に比べて建屋の外側に余分なスペースが要らず、省スペース化が図れるとともに、建屋外側に障害物が存在する条件下でも施工することができる。また、一般的な引き戸形式の場合に必要な戸袋スペースを横方向や上部に別個に確保する必要がないことから、建屋が必要以上に高くなったり、開口部の高さが制限されるといった問題を発生することなく、４枚以上の防熱扉を開口部の幅方向に連続して並置することができるので、４枚以上の防熱扉個々によって開閉される単位開口間の距離も小さくすることができ、作物栽培舎などに自動搬送装置を設置する場合に有利である。しかも、閉扉状態では４枚以上の防熱扉を互いに直線上に並列配置させて端部枠同士を突き合わせ状態に当接させて引き違い式の場合に比べてシール性を高く保持し、かつ、その高いシール性を長期に亘り安定よく維持することができるので、温度制御等が行われている屋内からの熱放散ロスを著しく軽減することができるという効果を奏する。
【００２９】
特に、請求項５のような床レール形式を採用することによって、扉重量を床面のレールでしっかりと支えて、背丈の高い防熱扉であっても、こじれの発生をなくして扉開閉の操作性を改善できるとともに、レール等の破損や変形も非常に少なくして長期間に亘り軽快かつ円滑な開閉操作を維持することができる。
【００３０】
また、床レール形式の場合の転がり部材として、請求項６に記載のような構成のものを使用することによって、防熱扉の開口部前後方向への移動及び開口幅方向へのスライド移動といった互いに直交する方向の動きを無理なく円滑に行わせることができる。
【図面の簡単な説明】
【図１】  本発明に係る建屋の防熱扉構造の概略平面図である。
【図２】  同建屋の防熱扉構造の要部の正面図である。
【図３】  同建屋の防熱扉構造の要部の平面図である。
【図４】  図２の丸囲いＡ部の拡大縦断側面図である。
【図５】  図２の丸囲いＢ部の拡大縦断側面図である。
【図６】  他の実施の形態を示す要部の拡大一部切欠き縦断側面図である。
【図７】  図６の要部拡大縦断面図である。
【符号の説明】
１  建屋側壁
２  開口部
３  防熱扉
３ａ，３ａ１  扉枠
４  揺動開閉扉
５  固定壁板
４ａ，５ａ  周辺枠
６，１５  天井レール
６’，１５’  溝形ガイド
８  床面
９，１６  床レール
２１  転がり部材
２１ａ  硬球
２１ｂ  ケース
２１ｄ  小球
２２  振止め部材
（Ａ）  閉扉位置
（Ｂ）  開扉位置
【図１】
0004017390.tif 000002
【図２】
0004017390.tif 000003
【図３】
0004017390.tif 000004
【図４】
0004017390.tif 000005
【図５】
0004017390.tif 000006
【図６】
0004017390.tif 000007
【図７】
0004017390.tif 000008